(57)【要約】      （修正有）【課題】調節キャップにおいて複数個の斜め方向ノズルを開設し、斜め方向ノズルは調節キャップの軸方向ノズルとは軸方向においてある予定の角度を有するように形成されることにより、加熱の効率を高めることができるガスコンロの提供。【解決手段】送風ユニット２と調節キャップ３が含まれる。送風ユニット２には環状開口２１と溝道２０が設けられ、環状開口２１は溝道２０の上方に形成され、送風ユニット２は送風パイプと連通してガスを導入する。調節キャップ３は対応するように送風ユニット２の環状開口２１の上方を蓋するように設けられ、調節キャップ３には斜めになるように複数個の斜め方向ノズル３２が開設され、斜め方向ノズル３２はガスを導引して斜め方向に吹き出す。調節キャップ３に開設された複数個の斜め方向ノズル３２から吹き出されたガスは回転の気流を形成し、点火を提供することができるように構成されている。【選択図】図１
0003130640.tif 000002
【実用新案登録請求の範囲】
【請求項１】
送風ユニット（２）、調節キャップ（３）および導引座（４）により構成されるガスコンロであって、送風ユニット（２）には環状開口（２１）と溝道（２０）が設けられ、環状開口（２１）は溝道（２０）の上方に形成され、送風ユニット（２）は送風パイプと連通してガスを導入し、調節キャップ（３）は対応するように送風ユニット（２）の環状開口（２１）の上方を蓋するように設けられ、調節キャップ（３）には複数個のノズル（３１、３２、３３）が開設され、ノズル（３１、３２、３３）は上記ガスを導引して調節キャップ（３）から噴き出し、導引座（４）は中空の筒体に形成され、導引座（４）は調節キャップ（３）の上方に設けられることを特徴とするガスコンロ。
【請求項２】
導引座（４）は上から下へ拡径して中空の円錐体になるように形成され、そして斜めになるように複数個の気孔（４０）が穿設されることを特徴とする請求項１記載のガスコンロ。
【請求項３】
導引座（４）には複数個の凹部（４１）が設けられ、凹部（４１）は導引座（４）の内周壁面の底端部のリップ縁に設けられることを特徴とする請求項１または２記載のガスコンロ。
【請求項４】
導引座（４）には固定フランジ（４２）が設けられ、固定フランジ（４２）は半径方向へ折り曲げて延伸するように導引座（４）の下方に設けられることを特徴とする請求項１または２記載のガスコンロ。
【請求項５】
調節キャップ（３）には斜めになるように複数個の斜め方向ノズル（３２）が開設され、斜め方向ノズル（３２）により上記ガスを斜めに吹き出すように導引することを特徴とする請求項１または２記載のガスコンロ。
【請求項６】
調節キャップ（３）には他に複数個の軸方向ノズル（３１）が開設され、斜め方向ノズル（３２）は軸方向ノズル（３１）に相対してある予定の角度を有するように形成されることを特徴とする請求項５記載のガスコンロ。
【請求項７】
調節キャップ（３）には放射状に排列するように複数個の斜め凹欠溝（３０）が設けられることを特徴とする請求項６記載のガスコンロ。
【請求項８】
軸方向ノズル（３１）と斜め方向ノズル（３２）は斜め凹欠溝（３０）の間に形成されることを特徴とする請求項７記載のガスコンロ。
【請求項９】
斜め凹欠溝（３０）には内ノズル（３３）が開設され、内ノズル（３３）は軸方向ノズル（３１）の軸に相対してある予定の角度を有するように形成されることを特徴とする請求項７記載のガスコンロ。
【考案の詳細な説明】
【技術分野】
【０００１】
本考案は、ガスコンロに関するもので、特に調節キャップにおいて半径方向に複数個の軸方向ノズルと斜め方向ノズルを開設し、そして上記軸方向ノズルと斜め方向ノズルは軸方向においてある予定の角度を有するため、加熱の効率を高めることができるガスコンロに係るものである。
【背景技術】
【０００２】
従来のガスコンロの構造としては、中華民国公告第Ｍ２６５５５１号においては、コンロ本体と送風パイプが含まれる。上記送風パイプは上記コンロ本体と連通し、上記コンロ本体の内部には中空の溝道が形成され、上記中空の溝道の上方には複数個の出口が環設され、上記各出口の間には互いに軸方向で平行になるように形成される。これにより、ガスが上記送風パイプを経て上記上空の溝道に進入した時、上記ガスは上記出口を経て上方へ噴出すると同時に、点火装置（通常としては高電圧の点火装置）を利用して点火の作動を行うことにより、上記出口の附近において火炎を形成するようにしたものがある（例えば、特許文献１を参照）。
【特許文献１】中華民国公告第Ｍ２６５５５１号
【考案の開示】
【考案が解決しようとする課題】
【０００３】
上記のような従来のガスコンロの構造においては、実際に使用すると、上記ガスは垂直にして上方へ向かって火炎を形成するため、上記ガスが加熱しようとする物体に接触すると、上記ガスは上記加熱しようとする物体の阻止によって半径方向へ散乱するように形成され、さらにそれに連帯して上記火炎も散乱するように形成されることにより、元来の火炎の軸方向への噴き出しの均一度を破壊し、さらに加熱の効率を低減してしまうという問題点を有している。このように、上記のような従来のガスコンロの構造をさらに改良しなければならない。
【０００４】
本考案はこのような問題点に鑑みて考案したものであって、その目的とするところは、調節キャップにおいて複数個の軸方向ノズルと斜め方向ノズルを開設し、上記軸方向ノズルと斜め方向ノズルは環状に循環するように上記調節キャップに開設され、さらに上記軸方向ノズルと斜め方向ノズルは軸方向においてある予定の角度を有するように形成される。上記軸方向ノズルと斜め方向ノズルによってガスを導引して噴き出すことにより、上記ガスの間には互いに乱流が生じられ、上記ガスは規律性を有する回転気流に形成され、さらに進んで点火して火炎になり、そして火炎の集中効果を増進して加熱の効率を高めることができるため、ガスコンロの加熱の効率を確実かつ有効に高めることができるガスコンロを提供しようとするものである。
【０００５】
本考案の第一の目的は、調節キャップにおいて複数個の斜め方向ノズルを開設し、上記斜め方向ノズルは上記調節キャップの軸方向ノズルとは軸方向においてある予定の角度を有するように形成されることにより、加熱の効率を高めることができるガスコンロを提供しようとするものである。
【課題を解決するための手段】
【０００６】
上記目的を達成するために、本考案によるガスコンロは、下記のようになるものである。すなわち、
送風ユニット、調節キャップおよび導引座により構成される。送風ユニットには環状開口と溝道が設けられ、環状開口は溝道の上方に形成され、送風ユニットは送風パイプと連通してガスを導入する。調節キャップは対応するように送風ユニットの環状開口の上方を蓋するように設けられ、調節キャップには複数個のノズルが開設され、ノズルはガスを導引して調節キャップから噴き出す。導引座は中空の筒体に形成され、導引座は調節キャップの上方に設けられる。
【０００７】
本考案によるガスコンロは、導引座は上から下へ拡径して中空の円錐体になるように形成され、そして斜めになるように複数個の気孔が穿設されることもできる。また、導引座には複数個の凹部が設けられ、凹部は導引座の内周壁面の底端部のリップ縁に設けられることもできる。また、導引座には固定フランジが設けられ、固定フランジは半径方向へ折り曲げて延伸するように導引座の下方に設けられることもできる。また、調節キャップには斜めになるように複数個の斜め方向ノズルが開設され、斜め方向ノズルによりガスを斜めに吹き出すように導引することもできる。また、調節キャップには他に複数個の軸方向ノズルが開設され、斜め方向ノズルは軸方向ノズルに相対してある予定の角度を有するように形成されることもできる。また、調節キャップには放射状に排列するように複数個の斜め凹欠溝が設けられることもできる。また、軸方向ノズルと斜め方向ノズルは斜め凹欠溝の間に形成されることもできる。また、斜め凹欠溝には内ノズルが開設され、内ノズルは軸方向ノズルの軸に相対してある予定の角度を有するように形成されることもできる。
【考案の効果】
【０００８】
本考案のガスコンロによれば、調節キャップにおいて複数個の斜め方向ノズルを開設し、上記斜め方向ノズルは上記調節キャップの軸方向ノズルとは軸方向においてある予定の角度を有するように形成されることにより、加熱の効率を高めることができるという利点がある。
【考案を実施するための最良の形態】
【０００９】
本考案の実施の形態について、以下、図面を参照して説明する。
【実施例１】
【００１０】
図１、２を参照すると、本考案の実施例１のガスコンロには底座１、送風ユニット２、調節キャップ３、導引座４および外リング座５が含まれる。底座１は送風ユニット２、調節キャップ３、導引座４および外リング座５を載置するのに用いられる。送風ユニット２は好ましくは環状体からなり、送風ユニット２の上方に対応するように調節キャップ３を設置することができ、調節キャップ３も好ましくは環状体の構造からなる。これにより、底座１、送風ユニット２と調節キャップ３の組合せによりガスコンロの基本構造を形成する。導引座４は対応するように送風ユニット２と調節キャップ３の上方を覆うように設置され、導引座４は好ましくは円錐体からなり、導引座４には中空の部位（標示せず）が形成されることにより、対応するように送風ユニット２の上方に組み立てられると共に、調節キャップ３を収容することができる。外リング座５は対応するように底座１の上に嵌設され、外リング座５により加熱しようとする物体を載置することができる。
【００１１】
再び図１、２を参照すると、本考案の実施例１の底座１には底面において複数個の支持脚１０が設けられ、支持脚１０は下方へ向かって底座１の底面のリップ縁から突出するように設けられることにより、底座１を支持することができる。底座１の外周縁には折り曲げて延伸するように止め壁１１が形成される。その他に、底座１には複数個の開口１２が穿設され、開口１２は等間隔で環状に排列するように形成されることにより、本考案における内部と外部との間の気体交換を増やし、さらに燃焼の効率を高めることができる。
【００１２】
再び図１、２を参照すると、本考案の実施例１の送風ユニット２には溝道２０が凹むように設けられ、そして溝道２０の上方には環状開口２１が形成される。その他に、送風ユニット２の底面は軸方向で上へ向かって延伸するように支持柱体（標示せず）が形成され、上記支持柱体は中空の円柱体からなる。送風ユニット２と上記支持柱体の上端縁にはそれぞれ折り曲げてなるように内径方向フランジ２２と外径方向フランジ２２´が形成される。さらに、送風ユニット２と上記支持柱体にはそれぞれ内径方向フランジ２２および外径方向フランジ２２´と垂直になるように上へ向かって延伸するように内軸方向フランジ２３と外軸方向フランジ２３´が形成されることにより、調節キャップ３を環状開口２１の位置に支持して位置決めすることができる。送風ユニット２は適当な位置において送風口（標示せず）が開設され、上記送風口は送風パイプ（標示せず）と連通してガスを導入することができる。
【００１３】
再び図１、２を参照すると、本考案の実施例１の調節キャップ３の軸孔（標示せず）は実質上として送風ユニット２の内径方向フランジ２２および内軸方向フランジ２３とはそれぞれ対応するように形成される。調節キャップ３の外周縁は実質上としてそれぞれ送風ユニット２の外径方向フランジ２２´と外軸方向フランジ２３´に対応するように形成されるため、調節キャップ３は内、外径方向フランジ２２、２２´と内、外軸方向フランジ２３、２３´により位置決めして支持され、さらに送風ユニット２の環状開口２１に安定して固定される。
【００１４】
図１、２、３を参照すると、本考案の実施例１の調節キャップ３には複数個のノズルが開設され、上記ノズルは上記ガスを導引して調節キャップ３から噴き出すのに用いられ、調節キャップ３の上面には好ましくは外向の内径方向から傾斜して環状面（標示せず）が形成され、上記環状面は選択的に環状の傾斜面からなり、上記環状の傾斜面には放射状に排列するように複数個の斜め凹欠溝３０が設けられる。さらに詳しく言えば、それぞれの斜め凹欠溝３０の間には複数個の軸方向ノズル３１と複数個の斜め方向ノズル３２が開設され、さらにそれぞれの斜め凹欠溝３０には他に複数個の開口が開設され、上記複数個の開口は下方へ貫穿して複数個の内ノズル３３が形成される。内ノズル３３の深さは実質上として斜め方向ノズル３２の深さより低くなるように形成されることにより、比較的低い抵抗を有するため、内ノズル３３のガスの流量は他のノズルより多くなり、上記ガスが内ノズル３３を通過した後、斜め凹欠溝３０において空気と混合して燃焼し、燃焼された膨張の気体は再び斜め凹欠溝３０から導引して噴き出されるため、火炎は調節キャップ３の中心軸に沿って上へ回転していく。軸方向ノズル３１、斜め方向ノズル３２と内ノズル３３はそれぞれ調節キャップ３の中心位置から半径方向に沿って、そして外へ向かって排列するように複数個の軸方向ノズル列（標示せず）、複数個の斜め方向ノズル列（標示せず）と複数個の内ノズル列（標示せず）が形成され、さらに上記複数個の軸方向ノズル列、斜め方向ノズル列と内ノズル列はそれぞれ順序よく循環して調節キャップ３の上に排列される。軸方向ノズル３１、斜め方向ノズル３２と内ノズル３３は選択的に貫穿孔の形状または調節キャップ３を貫穿する長溝口の形状に形成することができる。特に、内ノズル３３が選択的に長溝口の形状を形成する時、斜め凹欠溝３０の底面の両端部分のリップ縁を予め残る場合、内ノズル３３は貫穿するように形成される。
【００１５】
再び図２、３を参照すると、軸方向ノズル３１と斜め方向ノズル３２との間、または軸方向ノズル３１と内ノズル３３との間にはある予定の角度が形成される。さらに詳しく言えば、軸方向ノズル３１の軸線Ｌ１は軸方向へ延伸して調節キャップ３を貫通し、そして軸線Ｌ１は好ましくは上記環状の傾斜面とは垂直になるように形成される。斜め方向ノズル３２の軸線Ｌ２と内ノズル３３の軸線Ｌ３はそれぞれ延伸して調節キャップ３を貫通し、軸線Ｌ２と軸線Ｌ３は互いに平行になるように形成されると共に、軸線Ｌ２、Ｌ３と軸線Ｌ１とはある予定の角度を有するように形成される。
【００１６】
図１、２、３を参照すると、調節キャップ３が送風ユニット２に結合された時、上記ガスが上記送風パイプを経て送風ユニット２の溝道２０に進入し、さらに気体の圧力により上記ガスをそれぞれ調節キャップ３の軸方向ノズル３１、斜め方向ノズル３２と内ノズル３３に沿って噴き出すのを圧迫する。また、調節キャップ３の上記環状の傾斜面の設置により噴き出されたガスは調節キャップ３の軸心位置の上方に集中される。斜め方向ノズル３２と内ノズル３３は斜め方向から上記ガスを噴き出すことにより、軸方向ノズル３１から垂直に噴き出すガスを邪魔するため、上記ガスは回転し集中する効果が生じるようになる。その他に、斜め方向ノズル３２の噴き出す方向と内ノズル３３の噴き出す方向は略同じであるため、上記ガスが回転し集中する効果をさらに増やすことができる。
【００１７】
図１、４を参照すると、本考案の実施例１の導引座４は中空の筒体に形成され、そして選択的に上から下へ拡径して中空の円錐体になるように形成され、さらに導引座４の底端部のリップ縁は送風ユニット２の外周縁に当接するように形成されるため、送風ユニット２の上方に位置決めすることができる。導引座４にはさらに複数個の気孔４０、複数個の凹部４１と一個の固定フランジ４２が設けられる。気孔４０は斜めに導引座４を穿設するように形成されることにより、気孔４０は導引座４に相対して傾斜の角度を有するように形成される。凹部４１は導引座４の底端部のリップ縁に形成され、凹部４１により外部の気流が導引座４の内部に流通するのを提供することができる。固定フランジ４２は導引座４の底端縁において半径方向へ折り曲げて延伸するように設けられることにより、導引座４を調節キャップ３の上方に位置決めすることができる。
【００１８】
再び図１、４を参照すると、本考案の実施例１の外リング座５は好ましくは中空の逆さ円錐体からなり、外リング座５には上開口（標示せず）と下開口（標示せず）が形成される。外リング座５には少なくとも一個の連接口５０と複数個の支持リブ５１が設けられる。支持リブ５１は等間隔で外リング座５の上記上開口のリップ縁に設けられる。外リング座５の上記下開口のリップ縁は底座１の止め壁１１に当接することができる。連接口５０は外リング座５の下端のリップ縁に開設されることにより、上記送風パイプが外リング座５の内部まで貫穿するのを提供することができる。
【００１９】
再び図４を参照すると、本考案の実施例１のガスコンロの構造が平底鍋を加熱装置として使用する時、上記送風パイプにより上記ガスを送風ユニット２の内部まで導入し、そして送風ユニット２の内部の上記ガスは調節キャップ３の軸方向ノズル３１、斜め方向ノズル３２と内ノズル３３を経て上方へ噴き出される。斜め方向ノズル３２と内ノズル３３は軸方向ノズル３１に相対して上記ガスを斜めに噴き出すため、上記ガスは調節キャップ３の上方において乱流して螺旋状の気流になる。これにより、ガスが燃焼する時、火炎は調節キャップ３の上方に集中し、さらに本考案の加熱の効率を高めることができる。また、導引座４の導引の作用によって外部の気流を凹部４１から調節キャップ３の内部まで導引することにより、充分な酸素を提供して最良な燃焼の効果を維持することができる。さらに、上記平底鍋の底部は外リング座５とは一定の距離を保ち、そして外部の気流が導引座４の内周壁面と気孔４０との間に流通するのを利用し、軸方向上において阻隔の気圧が生じることにより、上記ガスが散乱するのを避けることができるため、火炎が集中して加熱の効果をさらに高めることができる。
【実施例２】
【００２０】
図５を参照すると、本考案の実施例２のガスコンロが掲示される。実施例１と比較してみると、実施例２において導引座４にはさらに複数列の気孔４０が環設され、そして外リング座５の内周壁面には半径方向で内へ向かって延伸するように当接部材５２が形成されることにより、導引座４の固定フランジ４２を当接部材５２の上に固設することができる。また、導引座４と送風ユニット２との間には送風空間５３が形成されることにより、外部の気流は送風空間５３を経て導引座４の内部まで流通することができる。本考案の実施例２のガスコンロの構造が円弧形の底部を有する鍋（標示せず）を加熱装置として使用する時、上記鍋を外リング座５の支持リブ５１の上に載置することができる。加熱を行う時、外部の気流は送風空間５３を経て導引座４の内部まで導入し、そして一部分の燃焼された気体は気孔４０を経て導引座４の外部まで導出されるため、上記鍋と導引座４との間に比較的小さい対流の空間が存在しても、上記燃焼された気体は上述した導引の方式により対流の効果を増やすことができ、さらに加熱の効果を高めることができる。
【産業上の利用可能性】
【００２１】
上述の如く、従来のガスコンロの構造によれば、開口により火炎を同じ方向へ噴き出すように導引するため、火炎を有効に集中させることができず、さらに加熱の効率を下げてしまうなどの問題点があった。図１に示す本考案のガスコンロによれば、軸方向ノズル３１、斜め方向ノズル３２と内ノズル３３との間にはある予定の角度を有するように設置される方式ではガスを有効に集中することができるため、確実に火炎の加熱効果をさらに高めることができる。
【００２２】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２３】
【図１】本考案の実施例１のガスコンロによる分解斜視図である。
【図２】本考案の実施例１のガスコンロによる調節キャップの一部の断面図である。
【図３】図２のＡ−Ａ線に沿った断面図である。
【図４】本考案の実施例１のガスコンロと平底鍋による使用時の説明図である。
【図５】本考案の実施例２のガスコンロと円弧形の底部を有する鍋による使用時の説明図である。
【符号の説明】
【００２４】
１    底座                              
２    送風ユニット        
３    調節キャップ
４    導引座  
５    外リング座
１０    支持脚
１１    止め壁                          
１２    開口
２０    溝道
２１    環状開口                          
２２    内径方向フランジ
２２´    外径方向フランジ                  
２３    内軸方向フランジ
２３´    外軸方向フランジ                  
３０    斜め凹欠溝                      
３１    軸方向ノズル
３２    斜め方向ノズル                  
３３    内ノズル
４０    気孔
４１    凹部                            
４２    固定フランジ
５０    連接口
５１    支持リブ                        
５２    当接部材
５３    送風空間
Ｌ１    軸線                            
Ｌ２    軸線
Ｌ３    軸線
【図１】
0003130640.tif 000003
【図２】
0003130640.tif 000004
【図３】
0003130640.tif 000005
【図４】
0003130640.tif 000006
【図５】
0003130640.tif 000007